(57)【要約】【課題】冷媒回路を循環する冷媒量の制御性が向上し、信頼性が向上する空気調和装置及び空気調和装置の制御方法を提供することにある。【解決手段】圧縮機１、四方弁２、室外熱交換器３、室外側膨張弁４７、蓄熱コイル５１、室内側膨張弁２１並びに室内熱交換器３１を冷媒配管で接続し、圧縮機１の駆動により、冷房運転、暖房運転、及び温水蓄熱運転を可能にした空気調和装置において、制御装置８０は、温水蓄熱運転時、圧縮機１の吸入冷媒の過熱度が目標過熱度となるように調整される室外側膨張弁４７の開度が、冷媒回路９０を循環する冷媒量が不足すると予測される所定の開度を上回るか否かを判断し、この判断結果、室外側膨張弁４７の開度が所定の開度を上回る場合、圧縮機１の吸入冷媒の過熱度に応じて、室内側膨張弁２１の開度を設定する。【選択図】      図１
2005003250.tif 000002
【特許請求の範囲】
【請求項１】
圧縮機、四方弁、室外熱交換器、室外側膨張弁、蓄熱コイル、室内側膨張弁及び室内熱交換器を冷媒配管で接続して冷媒回路を形成し、室内ユニットが少なくとも前記室内熱交換器を有し、前記圧縮機の駆動により、冷房運転、暖房運転、並びに前記室内ユニットの運転停止中に、前記圧縮機の吐出冷媒が前記蓄熱コイル、前記室外側膨張弁、及び前記室外熱交換器を順次流れる温水蓄熱運転を可能にした空気調和装置において、
前記温水蓄熱運転時、前記圧縮機の吸入冷媒の過熱度が目標過熱度となるように調整される前記室外側膨張弁の開度が、前記冷媒回路を循環する冷媒量が不足すると予測される所定の開度を上回るか否かを判断する判断手段と、
前記判断手段の判断結果、前記室外側膨張弁の開度が前記所定の開度を上回る場合、前記圧縮機の吸入冷媒の過熱度に応じて、前記室内側膨張弁の開度を設定する設定手段とを備えたことを特徴とする空気調和装置。
【請求項２】
請求項１に記載の空気調和装置において、
前記設定手段は、前記室内側膨張弁の前回設定した開度よりも大きくなるように、前記過熱度に応じて、前記室内側膨張弁の今回の開度を設定することを特徴とする空気調和装置。
【請求項３】
請求項２に記載の空気調和装置において、
前記設定手段は、前記過熱度に対応した開度増加量と、前記前回設定した開度とを加算し、この加算結果を前記今回の開度に設定することを特徴とする空気調和装置。
【請求項４】
請求項３に記載の空気調和装置において、
前記過熱度にしきい値を設定し、前記過熱度が前記しきい値を上回る場合の前記開度増加量は、前記過熱度が前記しきい値を下回る場合の前記開度増加量よりも大きいことを特徴とする空気調和装置。
【請求項５】
請求項１乃至４のいずれか一項に記載の空気調和装置において、
前記室外側膨張弁の開度が、前記所定の開度よりも小さく、且つ、前記冷媒回路を循環する冷媒量が過剰になると予測される第２の所定の開度を下回る場合、前記室内側膨張弁の前回設定した開度よりも小さくなるように、前記室内側膨張弁の今回の開度を設定することを特徴とする空気調和装置。
【請求項６】
圧縮機、四方弁、室外熱交換器、室外側膨張弁、蓄熱コイル、室内側膨張弁及び室内熱交換器を冷媒配管で接続して冷媒回路を形成し、室内ユニットが少なくとも前記室内熱交換器を有し、前記圧縮機の駆動により、冷房運転、暖房運転、並びに前記室内ユニットの運転停止中に、前記圧縮機の吐出冷媒が前記蓄熱コイル、前記室外側膨張弁、及び前記室外熱交換器を順次流れる温水蓄熱運転を可能にした空気調和装置の制御方法において、
前記温水蓄熱運転時、前記圧縮機の吸入冷媒の過熱度が目標過熱度となるように調整される前記室外側膨張弁の開度が、前記冷媒回路を循環する冷媒量が不足すると予測される所定の開度を上回るか否かを判断する判断過程と、
前記判断過程における判断の結果、前記室外側膨張弁の開度が前記所定の開度を上回る場合、前記圧縮機の吸入冷媒の過熱度に応じて、前記室内側膨張弁の開度を設定する設定過程とを備えたことを特徴とする空気調和装置の制御方法。
【請求項７】
請求項６に記載の空気調和装置の制御方法において、
前記設定過程では、前記室内側膨張弁の前回設定した開度よりも大きくなるように、前記過熱度に応じて、前記室内側膨張弁の今回の開度を設定することを特徴とする空気調和装置の制御方法。
【請求項８】
請求項７に記載の空気調和装置の制御方法において、
前記設定過程は、前記過熱度に対応した開度増加量と、前記前回設定した開度とを加算し、この加算結果を前記今回の開度に設定することを特徴とする空気調和装置の制御方法。
【請求項９】
請求項８に記載の空気調和装置の制御方法において、
前記過熱度にしきい値を設定し、前記過熱度が前記しきい値を上回る場合の前記開度増加量は、前記過熱度が前記しきい値を下回る場合の前記開度増加量よりも大きいことを特徴とする空気調和装置の制御方法。
【請求項１０】
請求項６乃至９のいずれか一項に記載の空気調和装置の制御方法において、
前記室外側膨張弁の開度が、前記所定の開度よりも小さく、且つ、前記冷媒回路を循環する冷媒量が過剰になると予測される第２の所定の開度を下回る場合、前記室内側膨張弁の前回設定した開度よりも小さくなるように、前記室内側膨張弁の今回の開度を設定することを特徴とする空気調和装置の制御方法。
【発明の詳細な説明】
【０００１】
【発明の属する技術分野】
本発明は、温水蓄熱運転を可能にした空気調和装置及び空気調和装置の制御方法に関する。
【０００２】
【従来の技術】
一般に、圧縮機、四方弁、室外熱交換器、室外側膨張弁、蓄熱コイル、室内側膨張弁及び室内熱交換器を冷媒配管で接続して冷媒回路を形成し、圧縮機の駆動により、冷房運転、暖房運転、並びに温水蓄熱運転を可能にした空気調和装置が知られている（例えば、特許文献１参照）。
【０００３】
この種の空気調和装置では、室外ユニットが少なくとも圧縮機及び室外熱交換器を有し、室内ユニットが少なくとも室内熱交換器を有する構成をとっている。室外側膨張弁及び室内側膨張弁は、開度がパルスモータによって調整される。
【０００４】
この種の空気調和装置では、室内ユニットの運転停止中に、温水蓄熱運転を行うようにしている。温水蓄熱運転時は、圧縮機の吐出冷媒が蓄熱コイル、室外側膨張弁、及び室外熱交換器を順次流れるようにして、蓄熱コイルにより蓄熱槽内の水を昇温させている。また、暖房運転時に室外熱交換器の除霜が必要なときは温水蓄熱運転による蓄熱エネルギーを利用して除霜運転を行い、除霜効率を向上させている。
【０００５】
この空気調和装置の温水蓄熱運転中は、室内ユニットは運転停止状態であるため、室内側膨張弁を閉鎖すると、室内ユニットの室内熱交換器に液冷媒の寝込みが生じることとなる。この液冷媒の寝込み量によっては、冷媒回路を循環する冷媒量が不足してしまうことがあるため、温水蓄熱運転を行う場合、従来は、室内側膨張弁を一定の開度（例えば、８０パルス）に固定しておき、圧縮機により吐出された高圧のガス冷媒で運転停止中の室内ユニットの室内熱交換器に寝込んでいる液冷媒を押し流し、冷媒の寝込みの解消を図っていた。
【０００６】
【特許文献１】
特開２００２−３７２３２５号公報
【０００７】
【発明が解決しようとする課題】
しかしながら、上記空気調和装置では、温水蓄熱運転時は、いかなるときでも室内側膨張弁を一定の開度に固定しておくため、室内熱交換器の冷媒寝込み量が過大なときは冷媒不足が生じてしまい、循環する冷媒量の制御性が低くなってしまうという問題がある。また、冷媒不足により空気調和装置の性能が低下するとともに圧縮機の吸込冷媒温度が上昇するため、信頼性が低いものとなってしまうという問題がある。
【０００８】
特に、室外ユニットに対して室内ユニットの設置場所が低い場合、室外ユニットと室内ユニットとの高低差により室内熱交換器に冷媒が寝込みやすくなるため、冷媒不足になりやすい。そして、室内側膨張弁が一定の開度に固定されていると、冷媒が不足する期間が長くなってしまう場合が生じるため、循環する冷媒量の制御性が低くなってしまうという問題がある。また、冷媒不足により性能が低下するとともに圧縮機の吸込冷媒温度が上昇するため、信頼性が低いものとなってしまうという問題がある。
【０００９】
そこで、本発明の目的は、上述した従来の技術が有する課題を解消し、循環する冷媒量の制御性の向上を図り、信頼性の向上を図る空気調和装置及び空気調和装置の制御方法を提供することにある。
【００１０】
【課題を解決するための手段】
請求項１に記載の発明は、圧縮機、四方弁、室外熱交換器、室外側膨張弁、蓄熱コイル、室内側膨張弁及び室内熱交換器を冷媒配管で接続して冷媒回路を形成し、室内ユニットが少なくとも前記室内熱交換器を有し、前記圧縮機の駆動により、冷房運転、暖房運転、並びに前記室内ユニットの運転停止中に、前記圧縮機の吐出冷媒が前記蓄熱コイル、前記室外側膨張弁、及び前記室外熱交換器を順次流れる温水蓄熱運転を可能にした空気調和装置において、前記温水蓄熱運転時、前記圧縮機の吸入冷媒の過熱度が目標過熱度となるように調整される前記室外側膨張弁の開度が、前記冷媒回路を循環する冷媒量が不足すると予測される所定の開度を上回るか否かを判断する判断手段と、前記判断手段の判断結果、前記室外側膨張弁の開度が前記所定の開度を上回る場合、前記圧縮機の吸入冷媒の過熱度に応じて、前記室内側膨張弁の開度を設定する設定手段とを備えたことを特徴とするものである。
【００１１】
請求項２に記載の発明は、請求項１に記載の発明において、前記設定手段は、前記室内側膨張弁の前回設定した開度よりも大きくなるように、前記過熱度に応じて、前記室内側膨張弁の今回の開度を設定することを特徴とするものである。
【００１２】
請求項３に記載の発明は、請求項２に記載の発明において、前記設定手段は、前記過熱度に対応した開度増加量と、前記前回設定した開度とを加算し、この加算結果を前記今回の開度に設定することを特徴とするものである。
【００１３】
請求項４に記載の発明は、請求項３に記載の発明において、前記過熱度にしきい値を設定し、前記過熱度が前記しきい値を上回る場合の前記開度増加量は、前記過熱度が前記しきい値を下回る場合の前記開度増加量よりも大きいことを特徴とするものである。
【００１４】
請求項５に記載の発明は、請求項１乃至４のいずれか一項に記載の発明において、前記室外側膨張弁の開度が、前記所定の開度よりも小さく、且つ、前記冷媒回路を循環する冷媒量が過剰になると予測される第２の所定の開度を下回る場合、前記室内側膨張弁の前回設定した開度よりも小さくなるように、前記室内側膨張弁の今回の開度を設定することを特徴とするものである。
【００１５】
請求項６に記載の発明は、圧縮機、四方弁、室外熱交換器、室外側膨張弁、蓄熱コイル、室内側膨張弁及び室内熱交換器を冷媒配管で接続して冷媒回路を形成し、室内ユニットが少なくとも前記室内熱交換器を有し、前記圧縮機の駆動により、冷房運転、暖房運転、並びに前記室内ユニットの運転停止中に、前記圧縮機の吐出冷媒が前記蓄熱コイル、前記室外側膨張弁、及び前記室外熱交換器を順次流れる温水蓄熱運転を可能にした空気調和装置の制御方法において、前記温水蓄熱運転時、前記圧縮機の吸入冷媒の過熱度が目標過熱度となるように調整される前記室外側膨張弁の開度が、前記冷媒回路を循環する冷媒量が不足すると予測される所定の開度を上回るか否かを判断する判断過程と、前記判断過程における判断の結果、前記室外側膨張弁の開度が前記所定の開度を上回る場合、前記圧縮機の吸入冷媒の過熱度に応じて、前記室内側膨張弁の開度を設定する設定過程とを備えたことを特徴とするものである。
【００１６】
請求項７に記載の発明は、請求項６に記載の発明において、前記設定過程では、前記室内側膨張弁の前回設定した開度よりも大きくなるように、前記過熱度に応じて、前記室内側膨張弁の今回の開度を設定することを特徴とするものである。
【００１７】
請求項８に記載の発明は、請求項７に記載の発明において、前記設定過程は、前記過熱度に対応した開度増加量と、前記前回設定した開度とを加算し、この加算結果を前記今回の開度に設定することを特徴とするものである。
【００１８】
請求項９に記載の発明は、請求項８に記載の発明において、前記過熱度にしきい値を設定し、前記過熱度が前記しきい値を上回る場合の前記開度増加量は、前記過熱度が前記しきい値を下回る場合の前記開度増加量よりも大きいことを特徴とするものである。
【００１９】
請求項１０に記載の発明は、請求項６乃至９のいずれか一項に記載の発明において、前記室外側膨張弁の開度が、前記所定の開度よりも小さく、且つ、前記冷媒回路を循環する冷媒量が過剰になると予測される第２の所定の開度を下回る場合、前記室内側膨張弁の前回設定した開度よりも小さくなるように、前記室内側膨張弁の今回の開度を設定することを特徴とするものである。
【００２０】
【発明の実施の形態】
以下、本発明の一実施形態を添付した図面を参照して説明する。
【００２１】
［１］第１の実施の形態
図１は、本第１の実施の形態にかかる空気調和装置を示す冷媒回路である。図１において、１００は空気調和装置を示し、この空気調和装置１００は、室外ユニット１０と、蓄熱ユニット２０と、室内ユニット３０の３つのユニットを備えて構成されている。室外ユニット１０及び蓄熱ユニット２０は、例えば、建物（ビルディング等）の屋上に設置され、室内ユニット３０は、室内に設置される。従って、室内ユニット３０は、室外ユニット１０及び蓄熱ユニット２０に対して、低い位置に設置されることとなる。言い換えれば、室外ユニット１０及び蓄熱ユニット２０と、室内ユニット３０とは、高低差がある。
【００２２】
室外ユニット１０は、圧縮機１と、四方弁２と、室外熱交換器３と、アキュームレータ４とを備えて構成される。室内ユニット３０は、室内熱交換器３１を備えて構成される。蓄熱ユニット２０は、室外ユニット１０に接続されるブリッジ回路４０と、蓄熱コイル５１と、室外側膨張弁４７と、室内側膨張弁２１と、を含んで構成される。これら圧縮機１、四方弁２、室外熱交換器３、アキュームレータ４、蓄熱コイル５１、室外側膨張弁４７、室内側膨張弁２１、室内熱交換器３１等が冷媒配管で接続され冷媒回路９０を形成している。
【００２３】
蓄熱ユニット２０のブリッジ回路４０は、第１逆止弁４１、第２逆止弁４２、第３逆止弁４３、第４逆止弁４４、並びにこれら逆止弁の内、２つの逆止弁の組み（逆止弁４１と４３、及び逆止弁４２と４４）を連通させるメイン管路４５を含み、このメイン管路４５には、受液器４６及び室外側膨張弁４７が直列に接続されている。また、受液器４６の上部からバイパス管路（均圧管）４８が導出され、このバイパス管路４８には均圧弁４９が接続され、この均圧弁４９は室外側膨張弁４７の下流のメイン管路４５に接続されている。
【００２４】
蓄熱ユニット２０には、蓄熱槽５０が含まれる。この蓄熱槽５０の中には、蓄熱コイル５１が水没状態で配置され、この蓄熱コイル５１の一端は、第１管路５２、二方弁５４を介してガス管６０に接続されている。蓄熱コイル５１の他端は、第２管路５３、蓄熱弁５５を介して液管６１、すなわちブリッジ回路４０と室内側膨張弁２１との間の液管６１に接続されている。
【００２５】
ブリッジ回路４０のメイン管路４５であって、受液器４６と室外側膨張弁４７の間のメイン管路４５には、第３管路６３が接続され、この第３管路６３は、解氷弁５６、逆止弁５７を介して第１管路５２、すなわち二方弁５４と蓄熱コイル５１との間の第１管路５２に接続されている。
【００２６】
上述のブリッジ回路４０には、液管６１を介して、室内側膨張弁２１が接続され、この室内側膨張弁２１には室内ユニット３０の室内熱交換器３１が接続され、この室内熱交換器３１にはガス管６０を介して四方弁２が接続されている。本実施形態では、室内側膨張弁２１は蓄熱ユニット２０に含まれる。
【００２７】
空気調和装置１００には、空気調和装置１００全体を制御する制御装置８０が備えられている。この制御装置８０は、例えば、室外ユニット１０に備えられている。
【００２８】
次に、本実施形態における空気調和装置１００の運転動作を説明する。
【００２９】
図２では、一般的な冷房運転（氷蓄熱未利用冷房運転）時の冷媒の流れを太線で示す。圧縮機１で圧縮され、吐出された高圧のガス冷媒は、四方弁２を介して室外熱交換器３に流入し、ここで凝縮する。この凝縮した冷媒はブリッジ回路４０に入る。このブリッジ回路４０では、第１逆止弁４１を経てメイン管路４５に入り、メイン管路４５に接続された受液器４６を介して室外側膨張弁４７に入る。
【００３０】
そして、室外側膨張弁４７を経た後、第３逆止弁４３を介して液管６１に向かい、ここから、室内側膨張弁２１を経て、室内ユニット３０の室内熱交換器３１に流入する。この室内熱交換器３１では、冷媒が蒸発して、周囲から蒸発潜熱を奪い、室内を冷房する。そして、室内熱交換器３１を経た冷媒は、ガス管６０を通り、四方弁２、アキュームレータ４を経て、圧縮機１の吸込管に戻される。
【００３１】
本実施形態では、夜間の安価な電気を使用して氷蓄熱運転が行われる。この氷蓄熱運転では、図３に太線で示すように冷媒が流される。すなわち、圧縮機１で圧縮された冷媒は、四方弁２、室外熱交換器３を通り、ブリッジ回路４０に流入し、このブリッジ回路４０の第１逆止弁４１を経てメイン管路４５に流入する。メイン管路４５に流入した冷媒は、受液器４６、室外側膨張弁４７を経て第３逆止弁４３に至り、ここから液管６１に流入する。この液管６１に流入した冷媒は、蓄熱弁５５、第２管路５３を通り蓄熱コイル５１に流入し、ここで蒸発し蓄熱槽５０内に製氷する。
【００３２】
蓄熱槽５０内に製氷させた冷媒は、第１管路５２、二方弁５４を通りガス管６０に流入し、更に、四方弁２、アキュームレータ４を経て圧縮機１に戻される。
【００３３】
冷房運転には、図２に示す氷蓄熱未利用冷房運転の他に、図３に示す製氷を利用した、氷蓄熱利用冷房運転が含まれる。
【００３４】
この利用冷房運転では、図４に示すように、冷媒制御が行われる。すなわち、圧縮機１で圧縮された冷媒は四方弁２、室外熱交換器３を経て、ブリッジ回路４０に流入し、このブリッジ回路４０の第１逆止弁４１、メイン管路４５、受液器４６を経て、一方は第３管路６３に流入し、他方はそのままメイン管路４５を流れて室外側膨張弁４７に至る。
【００３５】
第３管路６３に流入した冷媒は、解氷弁５６、逆止弁５７を経て蓄熱槽５０内の蓄熱コイル５１に入る。この冷媒は、蓄熱コイル５１内で氷により過冷却され、その後に、第２管路５３を経て蓄熱弁５５を通り液管６１に流入する。また、ブリッジ回路４０の受液器４６を経て、そのまま室外側膨張弁４７に流入した冷媒は、第３逆止弁４３を通り液管６１に流入する。
【００３６】
この液管６１では、蓄熱コイル５１を経て過冷却された冷媒と、室外側膨張弁４７を経た冷媒とが合流し、この合流した冷媒は、室内側膨張弁２１を通り、室内ユニット３０の室内熱交換器３１に流入する。この室内熱交換器３１では、冷媒が蒸発し、これにより室内が冷房される。そして、室内熱交換器３１を経た冷媒は、ガス管６０を通り、四方弁２、アキュームレータ４を経て、圧縮機１の吸込管に戻される。
【００３７】
この場合、本実施形態では、冷媒が蓄熱槽５０で過冷却された分だけ、冷房効率を向上させることができる。
【００３８】
上記構成では暖房運転が可能である。この暖房運転では、図５に示すように、冷媒の流れが制御される。
【００３９】
すなわち、圧縮機１に吐出された冷媒は、四方弁２を通りガス管６０に流入し、このガス管６０を経て室内ユニット３０の室内熱交換器３１に流入し、この室内熱交換器３１で凝縮し、これにより、室内が暖房される。この室内熱交換器３１を経た冷媒は、室内側膨張弁２１を通り、液管６１に流入し、更にブリッジ回路４０に流入する。このブリッジ回路４０に入ると、冷媒は、第２逆止弁４２を経てメイン管路４５に流入し、受液器４６、室外側膨張弁４７を経て第４逆止弁４４に至り、この第４逆止弁４４を通過して、室外ユニット１０の室外熱交換器３に流入する。この室外熱交換器３では、冷媒が蒸発し、これによりガス化された冷媒が、四方弁２、アキュームレータ４を経て圧縮機１に戻される。
【００４０】
この暖房運転が、厳冬期等の著しい低外気温の状態下で行われた場合、室外熱交換器３のフィンに着霜する。この室外熱交換器３の着霜を除去するため、除霜運転が行われる。
【００４１】
図６は、空気除霜運転を示す。この除霜運転では、暖房運転を一時的に停止し、四方弁２を冷房位置に切り換え、圧縮機１を駆動する。すると、図６に示すように、圧縮機１で圧縮された冷媒が、四方弁２を経て、室外熱交換器３に直接流入し、ここに直接流入したホットガスにより室外熱交換器３が除霜される。この室外熱交換器３を経た冷媒は、図２に示す冷房運転の場合とほぼ同様の流れを経て圧縮機１に戻される。
【００４２】
この場合、室内熱交換器３１の送風ファンの運転は停止し、冷媒を蒸発させない。本来の要求は暖房運転であり、除霜運転時に室内に冷風が吹き出されないようにするためである。
【００４３】
さて、図１は、蓄熱槽５０に温水を生成する温水蓄熱運転を示す。この温水蓄熱運転は、室内ユニット３０の運転停止中に行われる。温水蓄熱運転では、蓄熱槽５０内の水の温度を上昇させる。この温水蓄熱運転では、圧縮機１で圧縮されて吐出された冷媒が、四方弁２を通り、ガス管６０に流入し、このガス管６０から二方弁５４、第１管路５２を経て、蓄熱コイル５１に流入する。冷媒は、この蓄熱コイル５１で凝縮し、蓄熱槽５０内の水温を上昇させる。この蓄熱コイル５１を経た冷媒は、第２管路５３、蓄熱弁５５を通りブリッジ回路４０に流入し、このブリッジ回路４０に流入した冷媒は、第２逆止弁４２を通りメイン管路４５に入り、受液器４６、室外側膨張弁４７を経て第４逆止弁４４に至る。
【００４４】
そして、第４逆止弁４４を経て室外ユニット１０の室外熱交換器３に至り、ここで蒸発し、ガス化した冷媒が、四方弁２、アキュームレータ４を経て圧縮機１に戻される。
【００４５】
この温水蓄熱運転によって、蓄熱槽５０内に温蓄されたエネルギーは、図７に示すように、専ら温水除霜運転に利用される。
【００４６】
すなわち、圧縮機１で圧縮された冷媒は、四方弁２を経て、室外熱交換器３に流入し、この室外熱交換器３で凝縮し、この室外熱交換器３のフィンに付着した霜を除去する。室外熱交換器３を経た冷媒は、ブリッジ回路４０に入り、このブリッジ回路４０の第１逆止弁４１、メイン管路４５、受液器４６、室外側膨張弁４７を経て第３逆止弁４３に至り、ここから蓄熱弁５５、第２管路５３を通り、蓄熱コイル５１に流入する。
【００４７】
この蓄熱コイル５１では、冷媒が、蓄熱槽５０内の温蓄エネルギーから熱を奪い、いわゆる冷媒加熱されて第１管路５２を経て二方弁５４に至る。そして、二方弁５４からガス管６０に入り、四方弁２、アキュームレータ４を経て圧縮機１に戻される。
【００４８】
この温水利用による除霜運転では、蓄熱槽５０内で冷媒が加熱されて圧縮機１に戻されるため、除霜運転の効率が向上し、除霜運転を、図６の除霜運転に比べて短時間のうちに終了させることができる。
【００４９】
ところで、圧縮機１の冷媒吸込側には、圧縮機１の吸込冷媒温度を検出する温度センサ（以下、「圧縮機吸込温度センサ」という。）８１が設けられている。具体的には、圧縮機吸込温度センサ８１は、アキュームレータ４の冷媒吸込側に設けられている。
【００５０】
また、室外熱交換器３には、室外熱交換器３が蒸発器として作用する場合において、室外側膨張弁４７の冷媒出口側の気液二相流となる冷媒の温度を検出するための温度センサ（以下、「液冷媒温度センサ」という。）８２が設けられている。この液冷媒温度センサ８２は、室外熱交換器３が蒸発器として作用する場合の室外熱交換器３の冷媒入口側に設けられる。
【００５１】
本実施形態では、制御装置８０は、温水蓄熱運転時、圧縮機１の吸込冷媒の過熱度を検出している（過熱度検出手段）。具体的には、制御装置８０は、圧縮機吸込温度センサ８１及び液冷媒温度センサ８２の温度検出結果に基づいて過熱度を算出している。より具体的には、過熱度は、圧縮機吸込温度センサ８１により検出された温度ＴＳと、液冷媒温度センサ８２により検出された温度ＴＥとの差温ΔＴ（＝ＴＳ−ＴＥ）により算出される。
【００５２】
そして、制御装置８０は、この過熱度ΔＴに基づいて、室外側膨張弁４７及び室内側膨張弁２１を制御する。本実施形態では、室外側膨張弁４７及び室内側膨張弁２１は、不図示のパルスモータにより開度が制御される。つまり、制御装置８０は、パルスモータにパルスを出力して膨張弁４７，２１の開度を制御している。
【００５３】
これら膨張弁４７，２１の開度と、パルスモータに出力されるパルス数とは、対応関係にある。例えば、パルス数が０パルスのときは、膨張弁４７，２１は、全閉状態であり、パルス数が４８０パルスのときは、膨張弁４７，２１は、全開状態である。つまり、パルスモータに出力されるパルス数の範囲は、０〜４８０パルスである。そして、膨張弁４７，２１の開度を設定、調整するということは、パルス数を設定、調整することである。従って、以下、膨張弁４７，２１の開度は、パルス数で表現するものとする。
【００５４】
まず、温水蓄熱運転時の室外側膨張弁４７の制御について詳細に説明する。制御装置８０は、過熱度ΔＴが目標過熱度（例えば、２［Ｋ］）になるように、室外側膨張弁４７の開度を調整する（調整手段）。この目標過熱度は、冷媒回路９０中を循環する冷媒量が過不足とならない適正量になるように設定されている。
【００５５】
室外側膨張弁４７の制御について具体的に説明すると、制御装置８０は、過熱度ΔＴが目標過熱度よりも小さい場合は、室外側膨張弁４７の開度が調整前の開度よりも小さくなるように調整する。つまり、室外側膨張弁４７を閉じる方向に開度を調整する。これによって、受液器４６に貯留される液冷媒量が調整前よりも増加し、冷媒回路９０を循環する冷媒量（つまり、室外熱交換器３で蒸発して圧縮機１に吸込まれる冷媒量）が減少し、過熱度ΔＴが上昇して目標過熱度に近づけられる。
【００５６】
また、制御装置８０は、過熱度ΔＴが目標過熱度よりも大きい場合は、室外側膨張弁４７の開度が調整前の開度よりも大きくなるように調整する。つまり、室外側膨張弁４７を開く方向に開度を調整する。これによって、受液器４６に貯留される液冷媒量が調整前よりも減少し、冷媒回路９０を循環する冷媒量が増加し、過熱度ΔＴが低下して目標過熱度に近づけられる。このように、室外側膨張弁４７の上流側に受液器４６が設けられているので、室外側膨張弁４７の開度の調整により、冷媒回路９０中を循環する冷媒量を調整することができる。
【００５７】
さて、室内ユニット３０は、運転停止状態にあるので、室内熱交換器３１に液冷媒の寝込みが生じる。つまり、室内ユニット３０の運転停止中、室内熱交換器３１の一端側（室内熱交換器３１が凝縮器として作用する場合の冷媒出口側）を、室内側膨張弁２１で閉鎖することは可能であるが、室内熱交換器３１の他端側（室内熱交換器３１が凝縮器として作用する場合の冷媒入口側）は、閉鎖されず、ガス管６０側の高圧のガス冷媒が室内熱交換器３１に流入することとなる。従って、不図示の室内ファンは停止しているものの、この室内熱交換器３１でガス冷媒が凝縮液化し、室内熱交換器３１に液冷媒が寝込むこととなる。
【００５８】
この室内熱交換器３１における液冷媒の寝込み量によっては、室外側膨張弁４７を開く方向に開度を調整しても、過熱度ΔＴを目標過熱度にするのに必要な冷媒循環量が得られない場合が生じるため、室内熱交換器３１の冷媒の寝込みを解消しなければならない必要がある。
【００５９】
また、冷媒回路中を循環する冷媒量が減少してくると、過熱度、即ち、圧縮機の吸込冷媒温度が上昇してくる。更に、循環する冷媒量の減少が進行すると、圧縮機の吸込冷媒温度が異常に上昇してしまうこととなる。
【００６０】
従って、本実施形態では、制御装置８０は、温水蓄熱運転時、室外側膨張弁４７の開度が冷媒回路９０を循環する冷媒量が不足する（ガス欠になる）と予測される所定の開度（例えば、４００パルス）を上回るか否かを判断し、室外側膨張弁４７の開度が所定の開度を上回る場合、過熱度ΔＴに応じて、室内側膨張弁２１の開度を設定するものである。
【００６１】
以下、温水蓄熱運転時の冷媒不足を防止する制御装置８０の室内側膨張弁２１の制御について、図８のフローチャートを参照しながら詳細に説明する。
【００６２】
ここで、図８に示すフローチャートに基づく制御装置８０による室内側膨張弁２１の制御は、所定のインターバル（例えば、２０秒）毎に行われる。そして、室内側膨張弁２１の初期（温水蓄熱運転開始直後）の開度は、１００パルスに設定される。
【００６３】
まず、制御装置８０は、室外側膨張弁４７の開度が、所定の開度（例えば、４００パルス）よりも小さく、且つ、冷媒回路９０を循環する冷媒量が過剰になると予測される第２の所定の開度（例えば、２５０パルス）を下回るか否かを判断する（ステップＳ１；冷媒量過剰判断手段）。つまり、室外側膨張弁４７の開度が、第２の所定の開度を下回る場合は、冷媒回路９０を循環する冷媒量が過剰になるのが予測される。
【００６４】
ここで、室外側膨張弁４７の開度である第２の所定の開度は、空気調和装置１００が冷媒過剰によって動作異常になる開度よりも大きく設定される。つまり、冷媒回路９０を循環する冷媒量が過剰になると予測される第２の所定の開度は、実際に冷媒量が過剰となる開度よりも大きく設定されている。これによって、空気調和装置１００が、冷媒の過剰によって動作異常になるのを未然に防止することができる。
【００６５】
室外側膨張弁４７の開度が、第２の所定の開度を上回る場合（ステップＳ１；Ｎｏ）、制御装置８０は、室外側膨張弁４７の開度が冷媒回路９０を循環する冷媒量が不足すると予測される所定の開度（例えば、４００パルス）を上回るか否かを判断する（ステップＳ２）。つまり、室外側膨張弁４７の開度が、所定の開度（例えば、４００パルス）を上回る場合は、冷媒回路９０を循環する冷媒量の不足が予測される。
【００６６】
ここで、室外側膨張弁４７の開度である所定の開度は、空気調和装置１００が冷媒不足によって動作異常になる開度よりも小さく設定される。つまり、冷媒回路９０を循環する冷媒量が不足すると予測される所定の開度は、実際に冷媒量が不足する開度よりも小さく設定されている。これによって、空気調和装置１００が、冷媒不足によって動作異常になるのを未然に防止することができる。
【００６７】
室外側膨張弁４７の開度が、所定の開度（例えば、４００パルス）を上回る場合（ステップＳ２；Ｙｅｓ）、制御装置８０は、過熱度ΔＴに応じて、室内側膨張弁２１の開度を設定する。
【００６８】
具体的には、まず、制御装置８０は、過熱度ΔＴに対応して室内側膨張弁２１の開度増加量ＤＳを設定する。つまり、制御装置８０は、過熱度ΔＴが、予め設定したしきい値（例えば、６［Ｋ］）以下であるか否かを判断する（ステップＳ３；過熱度判断手段）。そして、過熱度ΔＴがしきい値を上回る場合（ステップＳ３；Ｎｏ）、制御装置８０は、開度増加量ＤＳを５パルスに設定し、過熱度ΔＴがしきい値以下である場合（ステップＳ３；Ｙｅｓ）、制御装置８０は、開度増加量ＤＳを１パルスに設定する。
【００６９】
即ち、過熱度ΔＴがしきい値（例えば、６［Ｋ］）を上回る場合の開度増加量ＤＳ（例えば、５パルス）は、過熱度ΔＴがしきい値を下回る場合の開度増加量ＤＳ（例えば、１パルス）よりも大きく設定される。
【００７０】
つまり、過熱度ΔＴが大きければ大きいほど、冷媒回路９０中を循環する冷媒量は少ない（室内熱交換器３１の冷媒寝込み量が多い）ので、このように開度増加量ＤＳが設定されることにより、より迅速に室内熱交換器３１の冷媒寝込みが解消される。
【００７１】
次に、制御装置８０は、室内側膨張弁２１の前回設定した開度ＭＶｏｌｄよりも大きくなるように、過熱度ΔＴに応じて、室内側膨張弁２１の今回の開度ＭＶを設定する。
【００７２】
具体的には、制御装置８０は、室内側膨張弁２１の前回設定した開度をＭＶｏｌｄ、室内側膨張弁２１の今回の開度をＭＶとすると、今回の開度ＭＶを、次式
ＭＶ＝ＭＶｏｌｄ＋ＤＳ
で求め、室内側膨張弁２１の開度を設定している（ステップＳ６）。
【００７３】
つまり、制御装置８０は、開度増加量ＤＳと、前回設定した開度ＭＶｏｌｄとを加算し、この加算結果を室内側膨張弁２１の今回の開度ＭＶに設定する。
【００７４】
このように求められた開度ＭＶは、制御装置８０に備えられた不図示のＲＡＭに一時的に記憶される。
【００７５】
以上、ステップＳ３〜Ｓ６により、過熱度ΔＴに応じて室内側膨張弁２１の開度が設定される。つまり、室外側膨張弁４７の開度が所定の開度（例えば、４００パルス）を上回る場合、室内側膨張弁２１の開度が、所定のインターバル（例えば、２０秒）で、過熱度ΔＴに応じて、室内側膨張弁２１の開度が設定される。特に、過熱度ΔＴがしきい値（例えば、６［Ｋ］）を上回る場合、所定のインターバル（例えば、２０秒）で、しきい値を下回る過熱度ΔＴに対応する開度増加量ＤＳ（例えば、１パルス）よりも大きい開度増加量ＤＳ（例えば、５パルス）で室内側膨張弁２１の開度が設定される。
【００７６】
そして、室内熱交換器３１に寝込んでいた冷媒は、室内側膨張弁２１を通過してブリッジ回路４０に流入し、このブリッジ回路４０に流入した冷媒は、第２逆止弁４２を通りメイン管路４５に入り、受液器４６、室外側膨張弁４７を経て第４逆止弁４４に至る。そして、第４逆止弁４４を経て室外ユニット１０の室外熱交換器３に至り、ここで蒸発し、ガス化した冷媒が、四方弁２、アキュームレータ４を経て圧縮機１に戻される。
【００７７】
以上の動作により、室内側膨張弁２１が、過熱度ΔＴに応じた開度増加量ＤＳで開く方向に設定されるので、室内側膨張弁の開度を一定にする場合と比較して、室内熱交換器３１の冷媒の寝込みがより迅速に解消され、冷媒不足の回避の確実性が向上する。これによって、冷媒回路９０中を循環する冷媒量が適正に保たれることとなる。つまり、循環する冷媒量の制御性が向上する。また、過熱度ΔＴがより迅速に目標過熱度に近づけられるので、圧縮機１の吸込冷媒温度の異常上昇が回避され、信頼性が向上する。
【００７８】
ここで、室内側膨張弁２１の開度ＭＶは、下限値ＭＶｍｉｎ（例えば、７５パルス）と上限値ＭＶｍａｘ（例えば、１５０パルス）との間の範囲内で設定される。つまり、上限値ＭＶｍａｘを設定したのは、室内側膨張弁２１の開度ＭＶが上限値ＭＶｍａｘを越えて上昇すると、室内熱交換器３１にガス冷媒が流れすぎてしまい、蓄熱コイル５１において熱交換能力が低下するばかりでなく、室内ユニット３０を運転停止しているにもかかわらず室内が暖房されてしまうからである。一方、下限値ＭＶｍｉｎを設定したのは、室内側膨張弁２１の開度ＭＶが下限値ＭＶｍｉｎを越えて低下すると、室内熱交換器３１に液冷媒が寝込みやすくなってしまうからである。
【００７９】
次に、室外側膨張弁４７の開度が、所定の開度（例えば、４００パルス）を下回る場合（ステップＳ２；Ｎｏ）、制御装置８０は、冷媒回路９０を循環する冷媒量が過不足なく適正量であるので、室内側膨張弁２１の開度ＭＶの変更は行わない。つまり、制御装置８０は、開度増加量ＤＳを０に設定し（ステップＳ７）、ステップＳ６では、今回の開度ＭＶは、前回設定した開度ＭＶｏｌｄと同じ値に設定される。
【００８０】
次に、室外側膨張弁４７の開度が、所定の開度（例えば、４００パルス）よりも小さく、且つ、冷媒回路９０を循環する冷媒量が過剰になると予測される第２の所定の開度（例えば、２５０パルス）を下回る場合（ステップＳ１；Ｙｅｓ）、制御装置８０は、前回設定した室内側膨張弁２１の開度ＭＶｏｌｄよりも小さくなるように、室内側膨張弁２１の今回の開度ＭＶを設定する。
【００８１】
具体的には、室内側膨張弁２１の開度減少量を設定し（ステップＳ８）、前回設定した開度ＭＶｏｌｄから開度減少量を減算し、この減算結果を今回の開度ＭＶに設定する。
【００８２】
つまり、開度減少量は、開度増加量ＤＳを負の値に設定すればよく、ステップＳ８では、例えば、開度増加量ＤＳを−０．５パルスに設定している。そして、ステップＳ６では、負の値の開度増加量ＤＳと、前回の開度ＭＶｏｌｄとを加算し、この加算結果を今回の開度ＭＶに設定する。
【００８３】
例えば、前回の開度ＭＶｏｌｄが１００パルスのときは、今回の開度ＭＶは、９９．５パルスになる。ここで、実際にパルスモータに出力されるパルス数は、１００パルスである。そして、前回の開度ＭＶｏｌｄが９９．５パルスのときは、今回の開度ＭＶは、９９パルスであり、実際にパルスモータに出力されるパルス数も９９パルスである。
【００８４】
つまり、上述した所定のインターバル（例えば、２０秒）の倍の期間で室内側膨張弁２１の開度が１パルス分減じられることとなる。
【００８５】
これによって、冷媒回路９０中を循環する冷媒量が過剰になるのを回避することができ、冷媒回路９０中を循環する冷媒量が適正に保たれる。つまり、循環する冷媒量の制御性が向上する。
【００８６】
以上、本第１の実施の形態によれば、圧縮機１の吸込冷媒の過熱度ΔＴに応じて、室内側膨張弁２１の開度を設定しているので、室内側膨張弁が一定の開度に固定される場合と比較して、より迅速に室内熱交換器３１の冷媒の寝込みを解消することができるので、冷媒不足を回避することができ、循環する冷媒量の制御性が向上する。また、過熱度ΔＴがより迅速に目標過熱度に近づけられるので、圧縮機１の吸込冷媒温度の異常上昇が回避され、信頼性が向上する。
【００８７】
また、本第１の実施の形態によれば、室内熱交換器の冷媒寝込み量に基づいて室内側膨張弁の開度を設定する場合と比較して、室内熱交換器３１に寝込んでいる液冷媒の内、必要とされる冷媒量だけ室内熱交換器３１から回収されるので、循環する冷媒量の制御性がさらに向上するとともに、信頼性がさらに向上する。
【００８８】
特に、室内ユニット３０が室外ユニット１０に対して低い位置に設置される場合、室内熱交換器３１に冷媒の寝込みが生じやすくなり、冷媒不足になりやすくなるが、過熱度ΔＴに応じて室内側膨張弁２１の開度が設定されるので、効果的に室内熱交換器３１の冷媒の寝込みを解消することができる。
【００８９】
また、本第１の実施の形態によれば、所定のインターバル（例えば、２０秒）で室内側膨張弁２１の開度が設定されるので、室内側膨張弁が一定の開度に固定される場合と比較して、迅速に室内熱交換器３１の冷媒の寝込みを解消することができるので、冷媒不足を回避することができ、循環する冷媒量の制御性が向上する。また、過熱度ΔＴがより迅速に目標過熱度に近づけられるので、圧縮機１の吸込冷媒温度の異常上昇が回避され、信頼性が向上する。
【００９０】
［２］第２の実施の形態
次に、図９に第２の実施の形態としての空気調和装置の冷媒回路を示す。この図９において、図１に示す第１の実施の形態と異なる点は、蓄熱槽５０周辺における配管系にある。
【００９１】
図９において、蓄熱槽５０の中に水没した蓄熱コイル５１は、その一端が、第１管路５２、二方弁５４を介してガス管６０に接続されると共に、同じく第１管路５２、サブクール弁６８、逆止弁６９を介して液管６１に接続される。蓄熱コイル５１の他端は、第２管路５３、蓄熱弁５５を介して液管６１、すなわちブリッジ回路４０と室内側膨張弁２１との間の液管６１に接続されている。ブリッジ回路４０のメイン管路４５であって、受液器４６と室外側膨張弁４７の間のメイン管路４５には、第３管路６３が接続され、この第３管路６３は、解氷弁５６、逆止弁５７を介して、上述した蓄熱コイル５１の他端に接続されている。その他の構成は、図１に示すものとほぼ同じ構成である。
【００９２】
次に、本実施形態の温水蓄熱運転時の動作を説明する。
【００９３】
温水蓄熱運転では、蓄熱槽５０内の水の温度を上昇させる。この温水蓄熱運転では、圧縮機１で吐出された高圧のガス冷媒が、四方弁２を通り、ガス管６０に流入し、このガス管６０から二方弁５４、第１管路５２を経て、蓄熱コイル５１に流入する。冷媒は、この蓄熱コイル５１で凝縮し、蓄熱槽５０内の水温を上昇させる。この蓄熱コイル５１を経た冷媒は、第２管路５３、蓄熱弁５５を通りブリッジ回路４０に流入し、このブリッジ回路４０に流入した冷媒は、第２逆止弁４２を通りメイン管路４５に入り、受液器４６、室外側膨張弁４７を経て第４逆止弁４４に至る。
【００９４】
そして、第４逆止弁４４を経て室外ユニット１０の室外熱交換器３に至り、ここで蒸発し、ガス化した冷媒が、四方弁２、アキュームレータ４を経て圧縮機１に戻される。
【００９５】
制御装置８０による室外側膨張弁４７及び室内側膨張弁２１の制御は、上記した第１の実施の形態における制御と同様である。つまり、本実施形態における制御装置８０は、図８に示すフローチャートと同様の制御動作を行うものである。
【００９６】
そして、室内熱交換器３１に寝込んでいた冷媒は、室内側膨張弁２１を通過してブリッジ回路４０に流入し、このブリッジ回路４０に流入した冷媒は、第２逆止弁４２を通りメイン管路４５に入り、受液器４６、室外側膨張弁４７を経て第４逆止弁４４に至る。
【００９７】
そして、第４逆止弁４４を経て室外ユニット１０の室外熱交換器３に至り、ここで蒸発し、ガス化した冷媒が、四方弁２、アキュームレータ４を経て圧縮機１に戻される。
【００９８】
以上、本第２の実施の形態でも、第１の実施の形態と同様に、循環する冷媒量の制御性が向上し、信頼性が向上するという効果を奏するものである。
【００９９】
［３］第３の実施の形態
次に、図１０に第３の実施の形態としての空気調和装置の冷媒回路を示す。この図１０において、図１に示す第１の実施の形態と異なる点は、蓄熱槽５０周辺における配管系にある。本第３の実施の形態では、蓄熱槽５０周辺における配管系は、室外ユニット１０に備えられている。
【０１００】
以下、図１の冷媒回路と異なる点について説明すると、図１０において、室外ユニット１０は、蓄熱コイル５１を収容した蓄熱槽５０を備えるとともに、液管６１に、室外側膨張弁４７、受液器４６、蓄熱槽膨張弁７１、第１電磁開閉弁７２、逆止弁７３及び室内側膨張弁２１が、室外熱交換器３側から室内ユニット３０へ向かい順次配設される。
【０１０１】
蓄熱コイル５１の一端は、第１管路５２、二方弁５４を介してガス管６０に接続されている。蓄熱コイル５１の他端は、蓄熱槽膨張弁７１と第１電磁開閉弁７２との間の液管６１に接続される。
【０１０２】
また、液管６１には、受液器４６と蓄熱槽膨張弁７１との間に、第２電磁開閉弁７４、逆止弁７５を備えた接続配管７６の一端が接続される。この接続配管７６の他端は、第１管路５２における二方弁５４と蓄熱コイル５１との間に接続される。
【０１０３】
更に、液管６１には、逆止弁７３の冷媒の流出側に、接続配管７７の一端が接続される。この接続配管７７の他端は、接続配管７６における第２電磁開閉弁７４の冷媒の流入側に接続される。また、この接続配管７７には、第３電磁開閉弁７８が備えられている。
【０１０４】
以上の構成において、温水蓄熱運転時は、図１０中、太線で示すように冷媒が流れる。具体的に説明すると、圧縮機１で圧縮されて吐出された高圧のガス冷媒が、四方弁２を通り、ガス管６０に流入し、このガス管６０から二方弁５４、第１管路５２を経て、蓄熱コイル５１に流入する。冷媒は、この蓄熱コイル５１で凝縮し、蓄熱槽５０内の水温を上昇させる。この蓄熱コイル５１を経た冷媒は、蓄熱槽膨張弁７１、受液器４６、室外側膨張弁４７を経て室外熱交換器３に至り、ここで蒸発し、ガス化した冷媒が、四方弁２、アキュームレータ４を経て圧縮機１に戻される。この温水蓄熱運転時、第１、第２電磁開閉弁７２，７４は閉弁制御され、第３電磁開閉弁７８は開弁制御される。また、蓄熱槽膨張弁７１は全開に制御される。
【０１０５】
制御装置８０による室外側膨張弁４７及び室内側膨張弁２１の制御は、上記した第１の実施の形態における制御と同様である。つまり、本実施形態における制御装置８０は、図８に示すフローチャートと同様の制御動作を行うものである。
【０１０６】
そして、室内熱交換器３１に寝込んでいた冷媒は、液管６１、室内側膨張弁２１を通過し、接続配管７７、第３電磁開閉弁７８、接続配管７６を経由して再び液管６１に戻され、受液器４６、室外側膨張弁４７を経て室外熱交換器３に至り、ここで蒸発し、ガス化した冷媒が、四方弁２、アキュームレータ４を経て圧縮機１に戻される。
【０１０７】
以上、本第３の実施の形態でも、第１の実施の形態と同様に、循環する冷媒量の制御性が向上し、信頼性が向上するという効果を奏するものである。
【０１０８】
以上、一実施形態に基づいて本発明を説明したが、本発明は、これに限定されるものではない。
【０１０９】
例えば、上記第１、第２の実施の形態では、空気調和装置を、室外ユニット、蓄熱ユニット、及び室内ユニットの３つのユニットで構成したが、これに限定されるものではなく、室外ユニット及び蓄熱ユニットを一体化させることは可能である。
【０１１０】
また、上記第１、第２の実施の形態では、蓄熱ユニットが室内側膨張弁を備える場合について説明し、上記第３の実施の形態では、室外ユニットが室内側膨張弁を備える場合について説明したが、室内ユニットが室内側膨張弁を備える場合であってもよい。
【０１１１】
また、上記第１、第２の実施の形態では、蓄熱ユニットが室外側膨張弁を備える場合について説明したが、室外ユニットが室外側膨張弁を備える場合であってもよい。
【０１１２】
また、上記第１〜第３の実施の形態では、室内ユニットが１台の場合について説明したが、これに限るものではなく、室内ユニットが複数台の場合であってもよい。この場合、各室内機は、室内熱交換器及び室内側膨張弁を備え、温水蓄熱運転時は、全室内ユニットが運転停止される。
【０１１３】
また、上記第１〜第３の実施の形態では、過熱度にしきい値を設定し、検出した過熱度がしきい値を上回る場合の室内側膨張弁の開度増加量は、過熱度がしきい値を下回る場合の開度増加量よりも大きい場合について説明したが、室内側膨張弁の開度の設定において、過熱度に対して複数のしきい値を設定し、それぞれのしきい値を境に、過熱度の増加に対応して、開度増加量が大きくなるようにする場合であってもよい。この場合、室内側膨張弁の開度が、過熱度に対応して、細かく設定されるので、より循環する冷媒量の制御性が向上し、より信頼性が向上する。
【０１１４】
更に、室内側膨張弁の開度の設定において、過熱度の増加に対応して、開度増加量が直線的に大きくなるようにした場合であってもよい。この場合、室内側膨張弁の開度が、過熱度に対応して、細かく設定されるので、より循環する冷媒量の制御性が向上し、より信頼性が向上する。
【０１１５】
また、上記第１〜第３の実施の形態では、液冷媒温度センサ８２が室外熱交換器３の冷媒入口側に設けられる場合について説明したが、室外側膨張弁４７の冷媒出口側の気液二相流となる冷媒の温度を検出できる箇所であれば、任意の箇所に設置することができる。例えば、室外熱交換器において冷媒が流れる不図示のチューブや不図示のＵベンド等に設けてもよい。
【０１１６】
【発明の効果】
本発明によれば、冷媒回路を循環する冷媒量の制御性が向上し、空気調和装置の信頼性が向上する。
【図面の簡単な説明】
【図１】本発明の第１の実施の形態を示す温水蓄熱運転時の冷媒回路図等である。
【図２】本発明の第１の実施の形態を示す氷蓄熱未利用冷房運転時の冷媒回路図等である。
【図３】本発明の第１の実施の形態を示す氷蓄熱運転時の冷媒回路図等である。
【図４】本発明の第１の実施の形態を示す氷蓄熱利用冷房運転時の冷媒回路図等である。
【図５】本発明の第１の実施の形態を示す暖房運転時の冷媒回路図等である。
【図６】本発明の第１の実施の形態を示す空気除霜運転時の冷媒回路図等である。
【図７】本発明の第１の実施の形態を示す温水除霜運転時の冷媒回路図等である。
【図８】制御装置の制御動作を示すフローチャートである。
【図９】本発明の第２の実施の形態を示す温水蓄熱運転時の冷媒回路図等である。
【図１０】本発明の第３の実施の形態を示す温水蓄熱運転時の冷媒回路図等である。
【符号の説明】
１  圧縮機
２  四方弁
３  室外熱交換器
１０  室外ユニット
２０  蓄熱ユニット
２１  室内側膨張弁
３０  室内ユニット
３１  室内熱交換器
４７  室外側膨張弁
５０  蓄熱槽
５１  蓄熱コイル
８０  制御装置（判断手段、設定手段）
８１、８２  温度センサ
【図１】
2005003250.tif 000003
【図２】
2005003250.tif 000004
【図３】
2005003250.tif 000005
【図４】
2005003250.tif 000006
【図５】
2005003250.tif 000007
【図６】
2005003250.tif 000008
【図７】
2005003250.tif 000009
【図８】
2005003250.tif 000010
【図９】
2005003250.tif 000011
【図１０】
2005003250.tif 000012